(57)【要約】      （修正有）【課題】光学仕様の異なる複数の光学ユニットを交換レンズと撮像部との間に挿入した場合に、それぞれのフランジバック変化に対応させる。【解決手段】レンズ鏡筒と、レンズ鏡筒を着脱可能なカメラ本体と、カメラ本体に設けられた撮像部とレンズ鏡筒との間に着脱配置可能である少なくとも１種類以上の光学ユニットからなるレンズ交換式カメラであって、撮像ユニットは被写体方向に向かって付勢され、光学ユニットの着脱に応じて撮像ユニットの被写体方向への移動を規制する位置と規制を解除する位置とに切替移動可能な切替部を有し、切替部に規制される位置において、撮像部が光学ユニットを装着しない場合のフランジバック位置に配置され、被写体側に配置された第１の当接部を有し、光学ユニットは第２の当接部を有し、レンズ交換式カメラに装着される場合は、第１の当接部が第２の当接部に当接して、撮像ユニットがフランジバック位置に配置される。【選択図】図１１
2019023684.tif 000002
【特許請求の範囲】
【請求項１】
レンズ鏡筒と、前記レンズ鏡筒を着脱可能なカメラ本体と、カメラ本体に設けられた撮像部と前記レンズ鏡筒との間に着脱配置可能である少なくとも１種類以上の異なる光学仕様の光学ユニットからなるレンズ交換式カメラであって、
前記撮像部を含む撮像ユニットは被写体方向に向かって付勢され、
前記光学ユニットの着脱に応じて、前記撮像ユニットの被写体方向への移動を規制する位置と前記規制を解除する位置とに切替移動可能な切替部を有し、
前記撮像ユニットは前記切替部に規制される位置において、前記撮像部が前記光学ユニットを装着しない場合のフランジバック位置に配置され、
前記撮像ユニットは被写体側に配置された第１の当接部を有し、
前記光学ユニットは被写体と反対側に配置されてかつ、光軸方向に沿った高さが前記光学ユニットの光学仕様に対応するように調整された第２の当接部を有し、
前記光学ユニットは前記レンズ交換式カメラに装着される場合は、前記切替部が前記規制を解除する位置に移動し、前記第１の当接部が前記第２の当接部に当接して位置が規制されることで、前記撮像ユニットが前記光学ユニットを装着した場合のフランジバック位置に配置されることを特徴とする、
レンズ交換式カメラ。
【請求項２】
前記撮像部は前記撮像ユニットに対して、３箇所で圧縮コイルバネで被写体と反対方向に付勢されてかつ前記レンズ鏡筒の光軸に沿って螺合する第１のネジの係止によって被写体と反対方向への移動を規制されてフローティング支持され、前記３箇所における前記撮像部の光軸方向に沿った高さを、前記第１のネジの回動によって調整可能であることを特徴とする、請求項１に記載のレンズ交換式カメラ。
【請求項３】
前記第２の当接部は前記光学ユニットに対して、圧縮コイルバネで被写体と反対方向に付勢されてかつ前記光軸に沿って螺合する第２のネジの係止によって被写体と反対方向への移動を規制されてフローティング支持され、前記第２の当接部の光軸方向に沿った高さを前記第２のネジの回動によって調整可能であり、前記第１のネジと前記第２のネジは、前記光軸方向の投影面において重ならない位置に設けられていることを特徴とする、請求項１または２に記載のレンズ交換式カメラ。
【請求項４】
前記光学ユニットは光束を正の方向に屈折させる縮小光学ユニットであることを特徴とする、請求項１乃至３のいずれか１項に記載のレンズ交換式カメラ。
【請求項５】
前記カメラ本体は前記レンズ鏡筒着脱部と前記撮像部との間に、前記光学ユニットを収納可能な円筒空間を有してかつ、前記円筒空間の内周面に設けられ、径方向内側に突出し周方向に延びる第１の係合爪と第２の係合爪とを有し、
前記光学ユニットは円筒形状の外周面を有してかつ、前記外周面に設けれれ、径方向外側に突出し周方向に延びる第３の係合爪を有し、
前記光学ユニットは、前記第１の係合爪と前記第２の係合爪に対して、前記第３の係合爪が嵌ることで光軸方向と径方向の移動を規制され、前記第３の係合爪の側面に設けられた凸部と前記第１の係合爪もしくは第２の係合爪の端部とが当接して回転方向を規制されることで、前記カメラ本体に保持されることを特徴とする、請求項１乃至３のいずれか１項に記載のレンズ交換式カメラ。
【発明の詳細な説明】
【技術分野】
【０００１】
本発明は交換レンズを脱着可能であり、かつ交換レンズと撮像部との間に光学ユニットを挿入可能なレンズ交換式カメラに関するものである。
【背景技術】
【０００２】
近年、必要な撮影性能に応じて交換レンズを脱着可能なレンズ交換式カメラが存在する。このようなレンズ交換式カメラには、レンズを交換するほか、特殊効果を目的にレンズの前後に複数の異なる仕様の光学ユニットを挿入できるものがある。例えば画像の明るさを調整するＮＤフィルターや、撮像部に結像する光線の集光面積を調整する為の縮小光学ユニットや拡大光学ユニットなどを挿入する場合である。特に縮小光学ユニットは撮像部の一部の撮像範囲に集光することで、画像を明るくする効果が得られる。
【０００３】
ところでレンズ交換式カメラは撮像部が、レンズ装着部であるマウント面から光軸に沿って所定の距離にあることが必要である。この距離を一般にフランジバックという。
【０００４】
ここでレンズと撮像部の間に光学ユニットを挿入することでフランジバックが変化する。例えば縮小光学ユニットを挿入するとフランジバックが短くなる場合がある。この場合、撮像部を被写体側に移動させる必要がある。
【０００５】
フランジバックを変更させる課題に対して従来、マウント面をモータ駆動によって光軸に沿って移動させる技術が存在する(特許文献１)。またカムを用いて撮像部を２段階に変更する技術が存在する(特許文献２)。
【先行技術文献】
【特許文献】
【０００６】
【特許文献１】特開２０１２−２３０２０６号公報
【特許文献２】特開平５−３２８１９１号公報
【発明の概要】
【発明が解決しようとする課題】
【０００７】
レンズ交換式カメラのフランジバックは高精度の位置調整が要求される。しかしマウントが特許文献１に記載のようにモータ駆動することで、モータ分解能・バックラッシ・機構複雑化による誤差増大などの要因で、精度が低下するという問題がある。
【０００８】
また特許文献２に記載のようなカムを用いてフランジバックを変更した場合、設定できるフランジバックは２種類に限定される。さらに一方のフランジバックはもう一方のフランジバックに対し、従属的な関係がある。複数の異なる仕様の光学ユニットを挿入可能なレンズ交換式カメラにおいて、独立したフランジバックを複数設定できることが必要である。
【０００９】
本発明は、レンズ鏡筒とレンズ鏡筒を着脱可能なカメラ本体と、カメラ本体に設けられた撮像部とレンズ鏡筒との間に着脱配置可能である少なくとも１種類以上の異なる光学仕様の光学ユニットからなるレンズ交換式カメラにおいて、光学仕様の異なる複数の光学ユニットを、交換レンズと撮像部との間に挿入した場合に、それぞれのフランジバック変化に対応して、撮像部の位置を変更させることを目的とする。
【課題を解決するための手段】
【００１０】
本発明のレンズ交換式カメラは、レンズ鏡筒と、前記レンズ鏡筒を着脱可能なカメラ本体と、カメラ本体に設けられた撮像部と前記レンズ鏡筒との間に着脱配置可能である少なくとも１種類以上の異なる光学仕様の光学ユニットからなるレンズ交換式カメラであって、
前記撮像部を含む撮像ユニットは被写体方向に向かって付勢され、
前記光学ユニットの着脱に応じて、前記撮像ユニットの被写体方向への移動を規制する位置と前記規制を解除する位置とに切替移動可能な切替部を有し、
前記撮像ユニットは前記切替部に規制される位置において、前記撮像部が前記光学ユニットを装着しない場合のフランジバック位置に配置され、
前記撮像ユニットは被写体側に配置された第１の当接部を有し、
前記光学ユニットは被写体と反対側に配置されてかつ、光軸方向に沿った高さが前記光学ユニットの光学仕様に対応するように調整された第２の当接部を有し、
前記光学ユニットは前記レンズ交換式カメラに装着される場合は、前記切替部が前記規制を解除する位置に移動し、前記第１の当接部が前記第２の当接部に当接して位置が規制されることで、前記撮像ユニットが前記光学ユニットを装着した場合のフランジバック位置に配置されることを特徴とする。
【００１１】
また、本発明のレンズ交換式カメラの他の特徴とするところは、前記撮像部は前記撮像ユニットに対して、３箇所で圧縮コイルバネで被写体と反対方向に付勢されてかつ前記レンズ鏡筒の光軸に沿って螺合する第１のネジの係止によって被写体と反対方向への移動を規制されてフローティング支持され、前記３箇所における前記撮像部の光軸方向に沿った高さを、前記第１のネジの回動によって調整可能なことである。
【００１２】
また、本発明のレンズ交換式カメラのその他の特徴とするところは、前記第２の当接部は前記光学ユニットに対して、圧縮コイルバネで被写体と反対方向に付勢されてかつ前記光軸に沿って螺合する第２のネジの係止によって被写体と反対方向への移動を規制されてフローティング支持され、前記第２の当接部の光軸方向に沿った高さを前記第２のネジの回動によって調整可能であり、前記第１のネジと前記第２のネジは、前記光軸方向の投影面において重ならない位置に設けられていることである。
【００１３】
また、本発明のレンズ交換式カメラのその他の特徴とするところは、前記カメラ本体は前記レンズ鏡筒着脱部と前記撮像部との間に、前記光学ユニットを収納可能な円筒空間を有してかつ、前記円筒空間の内周面に設けられ、径方向内側に突出し周方向に延びる第１の係合爪と第２の係合爪とを有し、
前記光学ユニットは円筒形状の外周面を有してかつ、前記外周面に設けれれ、径方向外側に突出し周方向に延びる第３の係合爪を有し、
前記光学ユニットは、前記第１の係合爪と前記第２の係合爪に対して、前記第３の係合爪が嵌ることで光軸方向と径方向の移動を規制され、前記第３の係合爪の側面に設けられた凸部と前記第１の係合爪もしくは第２の係合爪の端部とが当接して回転方向を規制されることで、前記カメラ本体に保持されることである。
【発明の効果】
【００１４】
以上説明したように、本発明によれば、レンズ鏡筒とレンズ鏡筒を着脱可能なカメラ本体と、カメラ本体に設けられた撮像部とレンズ鏡筒との間に着脱配置可能である少なくとも１種類以上の異なる光学仕様の光学ユニットからなるレンズ交換式カメラにおいて、光学仕様の異なる複数の光学ユニットを、交換レンズと撮像部との間に挿入した場合に、それぞれのフランジバック変化に対応して、撮像部の位置を変更させることができる。
【図面の簡単な説明】
【００１５】
【図１】レンズ交換式カメラの概念図
【図２】レンズ交換式カメラの概念図
【図３】縮小レンズコンバータを装着したレンズ交換式カメラの概念図
【図４】縮小レンズコンバータを装着したレンズ交換式カメラの概念図
【図５】撮像ユニットの斜視図
【図６】撮像ユニットの分解斜視図
【図７】構造部ユニットの分解斜視図
【図８】内部撮像ユニットの分解斜視図
【図９】撮像ユニットの断面図
【図１０】縮小レンズコンバータの斜視図
【図１１】縮小レンズコンバータを装着した撮像ユニットの断面図
【図１２】縮小レンズコンバータを装着した撮像ユニットの詳細斜視図
【図１３】撮像ユニットの斜視図
【図１４】撮像ユニットの断面図
【図１５】撮像ユニットを被写体側から見た図、および背面側から見た図
【図１６】撮像ユニットの断面図
【図１７】レンズキャップの斜視図
【図１８】レンズキャップを装着した縮小レンズコンバータを示す斜視図
【図１９】縮小レンズコンバータを挿入した撮像ユニットの斜視図
【図２０】縮小レンズコンバータを挿入した撮像ユニットの被写体側から見た図
【図２１】縮小レンズコンバータを装着した撮像ユニットの一部断面斜視図
【発明を実施するための形態】
【００１６】
図１から図４は本発明の実施例にかかるレンズ交換式カメラの概念図である。特に図１は交換レンズ１をカメラ本体０から外した状態を示し、図２は交換レンズ１をカメラ本体０に装着した状態を示す。１１は交換レンズから撮像素子２２１１に結像する光束である。図３は縮小レンズコンバータ３と交換レンズ１とをカメラ本体０に装着した状態を示す。図４は図３と縮小率の異なる縮小レンズコンバータを装着した状態を表す。
【００１７】
図１に示す１は交換レンズであり、公知のバヨネット機構でカメラ本体０に装着可能である。すなわち交換レンズ１は矢印Ａ方向にマウント２１１に当接する位置まで押入した後に矢印Ｂ方向に一定角度回転させることで、カメラ本体０に装着される(図２)。撮像ユニット２は前述のマウント２１１が被写体側に配置され、撮像素子２２１１がマウント２１１から光軸方向に沿って所定のフランジバックで配置されている。撮像素子２２１１の大きさは、例えばＡＰＳ−Ｃサイズである。
【００１８】
撮像素子２２１１は交換レンズ１を装着した状態において、交換レンズ１によって結像する光学情報を電気情報に変換し、フレキシブル基板２４を経由して基板４に転送する。基板４では撮像素子２２１１から送られた電気情報を表示部５に送ってスルー画として表示させたり、記録部６に送って記録するなどの作業を、必要な処理を行った上で実行する。７は電源供給部であり、上記動作を実施するための電源を供給する。
【００１９】
図３に示すように、本発明の実施例にかかるレンズ交換式カメラは、縮小レンズコンバータ３を外部から装着することが可能である。縮小レンズコンバータ３を交換レンズ１と撮像素子２２１１の間に挿入することで、光束１１が正の方向に屈折し、ＡＰＳ−Ｃより小さい領域に集束する。光束１１をより小さい領域に集束させることで、明るい画像を得ることができる。
【００２０】
縮小レンズコンバータ３を装着するには、交換レンズ１を外した状態で、縮小レンズコンバータ３をマウント２１１開口部から光軸に沿って撮像側に向かって挿入・固定した後、交換レンズ１を前述のバヨネット機構でカメラ本体０に装着する。また縮小レンズコンバータ３を装着した場合、レンズ１の結像位置が被写体側に移動し、縮小レンズコンバータ３を装着しない場合(図２)に比べてフランジバックが短縮する。
【００２１】
図３、図４に示すようにフランジバック短縮量は、縮小レンズコンバータ３の縮小倍率によって異なる。縮小倍率が小さい縮小レンズユニット(図４)に比べ、縮小倍率が大きい縮小レンズユニット(図３)の方が、フランジバック短縮量が大きい。本発明の実施例では後述するように、縮小レンズコンバータ３装着によるフランジバック短縮量に合わせて、撮像素子２２１１を被写体側に移動させることが可能である。
【００２２】
次に図５・図６を用いて本発明の実施例にかかるレンズ交換式カメラの撮像ユニット２の構成を説明する。
【００２３】
図５は撮像ユニット２の斜視図である。特に図５(a)は撮像ユニット２を被写体側から見た場合の斜視図、図５(b)は背面側から見た場合の斜視図である。また図６は撮像ユニット２の分解斜視図である。特に図６(a)は撮像ユニット２を被写体側から見た場合の分解斜視図、図６(b)は撮像ユニット２を背面から見た場合の分解斜視図である。撮像ユニット２は大きく３つのサブユニットから成る。
【００２４】
１つめは構造部ユニット２１である。図７は撮像ユニット２から構造部ユニット２１の構成部品のみを表示した分解斜視図である。構造部ユニット２１はマウント２１１、マウント固定部材２１２、縮小レンズコンバータ位置決め部材２１３およびマスク部材２１４、背面カバー２１５、摺動シャフト２１６、２１７、レンズ通信ユニット２１８から成る。マウント２１１は円形開口部２１１１を有する円板形状をしており、公知のバヨネット爪が配置される。レンズ通信ユニット２１８はマウント２１１の円形開口部面積の下側の一部を占める。マウント固定部材２１２には、円筒内壁２１２１に円周方向に沿って延びる爪部２１２２が設けられている。
【００２５】
爪部２１２２は後述するように、縮小レンズコンバータ３の光軸方向に沿った被写体側への移動を規制するためのものである。縮小レンズコンバータ位置決め部材２１３は、円筒内壁２１３１の縁部に座繰り２１３２が設けられている。後述するように、座繰り２１３２の側面２１３３は縮小レンズコンバータ３の光軸に直交する方向への移動を規制するためのものである。また座繰り２１３２の底面２１３４は縮小レンズコンバータ３の光軸に沿った背面側への移動を規制するためのものである。円筒内壁２１３１の底面部２１３５には、３箇所の切り欠き２１３７を持つ円形開口部２１３６が設けられる。
【００２６】
マスク部材２１４は円形開口部２１４１を有する円板部材であり、粘着部材２１４２で底面部２１３５に貼付固定される。円形開口部２１４１の直径は円形開口部２１３６より僅かに小さく、マスク部材２１４を底面部２１３５に貼り付けることで、切り欠き２１３７を隠すことができる。背面カバー２１５は底部２１５１を有する略円筒形状をしており、縮小レンズコンバータ位置決め部材２１３に対して固定される。底部２１５１には円形開口部２１５２、２１５３が設けられている。
【００２７】
また縮小レンズコンバータ位置決め部材２１３に設けた座繰り２１３８、２１３９とともに、穴部２１５４、２１５５によって摺動シャフト２１６、２１７を支持する。
【００２８】
２つめのサブユニットは内部撮像ユニット２２である。図８は撮像ユニット２から、内部撮像ユニット２２のみを表示した分解斜視図である。内部撮像ユニット２２はセンサユニット２２１、センサユニット保持部材２２２から成る。センサユニット２２１には撮像素子２２１１が含まれ、具体的には板金部材２２１２に撮像素子２２１１が固定されている。センサユニット２２１は板金部材２２１２に設けられた３箇所の穴において、コイルバネ２２３、ビス２２４、スペーサ２２５によって、センサユニット保持部材２２２に対してフローティング支持される。
【００２９】
ビス２２４を回転させることで、撮像素子２２１１のセンサユニット保持部材２２２に対する光軸方向に沿った高さを調整することができる。またセンサユニット保持部材２２２は基板部２２２１の被写体側に３箇所の凸部２２２５が設けられている。これは後述するように内部撮像ユニット２２が第１の位置から第２の位置に移動したときに、縮小レンズコンバータ３の当接面に当接する。センサユニット保持部材２２２は基板部２２２１の上下端に摺動部２２２２、２２２３が設けられる。
【００３０】
図６に戻って、内部撮像ユニット２２は摺動部２２２２、２２２３が摺動シャフト２１６、２１７にそれぞれ嵌合して光軸方向に沿って摺動可能である。基板部２２２１の背面側には、円形凸部２２２４が３箇所設けられる。背面カバー２１５の底部２１５１には、円形凸部２２２４の光軸方向投影面上に重複する位置に面２１５６が３箇所設けられている。円形凸部２２２４には圧縮コイルバネ２２６が配置され、背面カバー２１５と当接して、内部撮像ユニット２２を被写体方向(矢印Ａ’方向)に付勢する。
【００３１】
３つめのサブユニットは切替部２３である。切替部２３は内部撮像ユニット当接面２３１１が設けられた切替板２３１を持つ。切替板２３１はユーザの操作によって光軸方向に沿って第１の位置と、第１の位置よりも被写体側に配置される第２の位置とに移動可能である(図９で詳述)。切替板２３１は、カメラ本体０表面に配置されたスイッチ(非図示)に連動して移動しても良いし、後述する縮小レンズコンバータ３の装着に連動して移動しても良い。
【００３２】
図９は内部撮像ユニット２２が、切替板２３１の移動に応じて被写体側に移動することを説明するための、撮像ユニット２の断面図である。特に図９(a)は切替板２３１が第１の位置に配置されるときの断面図、図９(b)は切替板２３１が第２の位置に配置されるときの断面図である。内部撮像ユニット当接面２３１１はセンサユニット保持部材２２２に設けられた切替部当接面２２２６に当接する。内部撮像ユニット２２は圧縮コイルバネ２２６によって被写体方向(矢印Ａ’方向)に付勢されているため、切替板２３１の第１の位置から第２の位置への移動に連動して移動する。
【００３３】
ここではそれぞれ内部撮像ユニット２２の第１の位置、内部撮像ユニット２２の第２の位置と呼ぶことにする。特に内部撮像ユニット２２が第１の位置にあるとき、撮像素子２２１１はマウント２１１に装着した交換レンズ１が結像するフランジバック位置に一致するように配置されている。
【００３４】
図１０は本発明の実施例にかかるレンズ交換式カメラに装着可能な縮小レンズコンバータ３の斜視図である。特に図８(a)は被写体側から見た斜視図、図８(b)は背面側から見た斜視図である。縮小レンズコンバータ３は正のパワーを持つ光学系３１と光学系３１を保持するレンズ鏡筒３２から成る。レンズ鏡筒３２にはレンズキャップ３３(後述)を装着するためのバヨネット溝３２１、円弧凸部３２２、３２３、ストッパ面３２４、当接面設置部３２５が設けられている。また当接面設置部３２５では調整板３４がコイルバネ３５とビス３６によって支持される。
【００３５】
調整板３４はビス３６の回転によって光軸方向に沿った高さを調整可能である。後述する方法で調整板３４の光軸方向に沿った高さを、光学系３１の縮小倍率によって異なるフランジバック短縮量に対応させて調整した後、ビス３６を接着材で固定する。
【００３６】
図１１、図１２ではフランジバック短縮量に対応した移動量で、内部撮像ユニット２２を移動させる方法を説明する。図１１は縮小レンズコンバータ３を装着した撮像ユニット２を表す断面図である。特に図１１(a)は切替板２３１が第１の位置にある状態、図１１(b)は切替板２３が第２の位置にある状態を表す。図１２は調整板３４に凸部２２２５が当接していることを示す、詳細斜視図である。図１１(a)において、内部撮像ユニット２２は第１の位置にあり、撮像素子２２１１はマウント２１１に装着した交換レンズ１(非図示)が結像するフランジバック位置に一致するように配置されている。
【００３７】
縮小レンズコンバータ３によってフランジバックは短縮しており、結像位置は撮像素子２２１１よりも被写体側にずれている。図１１(b)において、切替板２３１が第２の位置にあり、内部撮像ユニット２２は圧縮コイルバネ２２６によって被写体側に付勢されている。従ってセンサユニット保持部材２２２の基板部２２２１に設けられた凸部２２２５が、縮小レンズコンバータ３の調整板３４に当接する位置(図１２)まで、内部撮像ユニット２２が被写体側に移動する。凸部２２２５が調整板３４に当接する時の内部撮像ユニット２２の位置を、内部撮像ユニット２２の第３の位置と呼ぶことにする。
【００３８】
内部撮像ユニット２２の第３の位置は内部撮像ユニット２２の第２の位置に比べて、背面側に寄っている。また内部撮像ユニット２２の第３の位置において、撮像素子２２１１が縮小レンズコンバータ３によって短縮したフランジバックに一致する位置に配置されるように、調整板３４の光軸方向に沿った高さが調整されている。
【００３９】
図１３、１４では撮像ユニット２内の撮像素子２２１１を、交換レンズ１単体が結像するフランジバック位置に調整する方法を説明する。図１３(a)は撮像ユニット２を被写体側から見た図、図１３(b)は撮像ユニット２を背面側から見た図である。また図１４はフランジバック位置を調整する際の撮像ユニット２の断面図である。図１３(a)ではマスク部材２１４が配置されておらず、被写体側から見て切り欠き２１３７が露出している。また図１３(b)では背面カバー２１５の背面２１５７ (底部２１５１の裏)に設けられた円形開口部２１５２からビス２２４を視認することができる。
【００４０】
図１４では切替板２３１に規制されて内部撮像ユニット２２は第１の位置にある。内部撮像ユニット２２が第１の位置にある状態で、円形開口部２１５２からドライバを挿し込みビス２２４を回転して、撮像素子２２１１がマウント２１１に対して所定のフランジバック位置になるようにセンサユニット２２１の光軸方向に沿った高さを調整する。このときマウント２１１側からレーザー変位計などの非接触位置測定機を用いて撮像素子２２１１のマウント２２からの距離を測定しても良い。
【００４１】
次に図１５、図１６では、縮小レンズコンバータ３の調整板３４の光軸方向に沿った高さを、光学系３１の縮小倍率によって異なるフランジバック短縮量に対応させて調整する方法を説明する。特に図１５a)は撮像ユニット２を被写体側から見た図、図１５(b)は撮像ユニット２を背面側から見た図である。また図１６は調整板３４の光軸方向に沿った高さを調整する際の撮像ユニット２の断面図である。図１５(b)では背面カバー２１５の背面２１５７ (底部２１５１の裏)に設けられた円形開口部２１５３からビス３６を視認することができる。
【００４２】
図１６では縮小レンズコンバータ３内の調整板３４は調整可能範囲の中で、被写体側に最も寄った位置に配置されている。切替板２３１は第２の位置にあり、内部撮像ユニット２２は凸部２２２５が調整板３４に当接する位置に移動している。図１６における内部撮像ユニット２２の位置を、第４の位置と呼ぶことにする。第４の位置は内部撮像ユニット２２の第２の位置よりも背面側に寄っており、かつ内部撮像ユニット２２の第３の位置よりも被写体側に寄っている。
【００４３】
内部撮像ユニット２２が第４の位置にある状態で、円形開口部２１５３からドライバを挿し込みビス３６を回転し、撮像素子２２１１が光学系３１に対応した所定のフランジバック位置になるように、センサユニット２２１の光軸方向に沿った高さを調整する。このときマウント２１１側からレーザー変位計などの非接触位置測定機を用いて撮像素子２２１１のマウント２１１からの距離を測定しても良い。調整板３４の光軸方向に沿った高さを調整後、縮小レンズコンバータ３を取り外し、マスク部材２１４を配置して切り欠き２１３７を隠す。
【００４４】
図１５、図１６の方法により、縮小レンズコンバータ３の調整板３４の光軸方向に沿った高さを、縮小倍率に対応して調整することができる。縮小倍率の異なる他の縮小レンズユニットを装着した場合も、その縮小レンズユニットの調整板は縮小倍率に対応して調整されており、内部撮像ユニット２２は装着される縮小レンズユニットの縮小倍率に応じて移動することができる。
【００４５】
次に図１７〜図２１を用いて、撮像ユニット２に縮小レンズコンバータ３を外部から装着する方法を説明する。縮小レンズコンバータ３の撮像ユニット２への装着は、レンズキャップ３３を用いて行う。図１７は縮小レンズコンバータ３に装着可能なレンズキャップ３３単体の、縮小レンズコンバータ３に装着する側から見た斜視図である。レンズキャップ３３は底面３３１を持つ中空円筒形状であり、円筒内壁３３２の縁部３３３に凸部３３４が配置されている。
【００４６】
図１８はレンズキャップ３３を縮小レンズコンバータ３に装着した状態を示す斜視図である。説明のためレンズキャップ３３の一部を断面表示している。縮小レンズコンバータ３のバヨネット溝３２１は光軸に沿った溝３２１１と円周に沿った溝３２１２から成る。凸部３３４が溝３２１１を通過するようにレンズキャップ３３を縮小レンズコンバータ３に嵌めこんだ後、凸部３３４が溝３２１２の奥に当接するまで矢印Ｂ’方向に回転することで、レンズキャップ３３を縮小レンズコンバータ３に装着することができる。
【００４７】
図１９はレンズキャップ３３を装着した縮小レンズコンバータ３を、撮像ユニット２のマウント２１１側から挿入した状態を示す斜視図である。また図２０は挿入した縮小レンズコンバータ３を被写体側から見た図である。特に図２０(a)は挿入直後、図２０(b)は挿入後に矢印Ｂ方向に回転した状態である。図１９において、レンズキャップ３３を装着しながら縮小レンズコンバータ３を挿入することで、ユーザが撮像ユニット２内部に手を入れることなく、後述する縮小レンズコンバータ３の装着のための諸動作を行うことができる。
【００４８】
図２０(a)において、縮小レンズコンバータ３はマウント２１１の開口部面積の一部を占めるレンズ通信ユニット２１８を避けながら挿入される。挿入後、図２０(b)に示すようにストッパ面３２４が爪部２１２２の端に当接するまで回転し、縮小レンズコンバータ３が装着される。図２１は縮小レンズコンバータ３が装着された撮像ユニット２を示す一部断面斜視図である。座繰り２１３２の側面によって縮小レンズコンバータ３の光軸に直交する方向への移動が規制され、かつ底面２１３４によって縮小レンズコンバータ３の背面への移動を規制する。
【００４９】
爪部２１２２はレンズ通信ユニット２１８の背後に配置されており、円弧凸部３２２，３２３と係合して縮小レンズコンバータ３の被写体側への移動を規制する。レンズキャップ３３は縮小レンズコンバータ３をＢ’方向に回転させる過程で、凸部３３４が溝３２１１に移動するため、縮小レンズコンバータ３を撮像ユニット２に装着後、Ａ’方向に沿って抜去可能である。
【００５０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５１】
０‥‥カメラ本体
１‥‥交換レンズ
１１‥‥光束
２‥‥撮像ユニット
２１‥‥構造部ユニット
２１１‥‥マウント
２１１１‥‥円形開口部
２１２‥‥マウント固定部材
２１２１‥‥円筒内壁
２１２２‥‥爪部
２１３‥‥縮小レンズコンバータ位置決め部材
２１３１‥‥円筒内壁
２１３２‥‥座繰り
２１３３‥‥座繰りの側面
２１３４‥‥座繰りの底面
２１３５‥‥円筒内壁の底面
２１３６‥‥円形開口部
２１３７‥‥切り欠き
２１３８,２１３９‥‥座繰り
２１４‥‥マスク部材
２１４１‥‥円形開口部
２１４２‥‥粘着部材
２１５‥‥背面カバー
２１５１‥‥底部
２１５２‥‥円形開口部
２１５３‥‥円形開口部
２１５４,２１５５‥‥穴部
２１５６‥‥面
２１５７‥‥背面
２１６、２１７‥‥摺動シャフト
２１８‥‥レンズ通信ユニット
２２‥‥内部撮像ユニット
２２１‥‥センサユニット
２２１１‥‥撮像素子
２２１２‥‥板金部材
２２２‥‥センサユニット保持部材
２２２１‥‥基板部
２２２２,２２２３‥‥摺動部
２２２４‥‥円形凸部
２２２５‥‥凸部
２２２６‥‥切替部当接面
２２３‥‥コイルバネ
２２４‥‥ビス
２２５‥‥ワッシャ
２２６‥‥圧縮コイルバネ
２３‥‥切替部
２３１‥‥切替板
２３１１‥‥内蔵撮像ユニット当接面
２４‥‥フレキシブル基板
３‥‥縮小レンズコンバータ
３１‥‥光学系
３２‥‥レンズ鏡筒
３２１‥‥バヨネット溝
３２１１‥‥溝
３２１２‥‥溝
３２２‥‥円弧凸部
３２３‥‥円弧凸部
３２４‥‥ストッパ面
３２５‥‥当接面設置部
３３‥‥レンズキャップ
３３１‥‥底面
３３２‥‥円筒内壁
３３３‥‥縁部
３３４‥‥凸部
３４‥‥調整板
３５‥‥コイルバネ
３６‥‥ビス
４‥‥基板
５‥‥表示部
６‥‥記録部
７‥‥電源供給部
【図１】
2019023684.tif 000003
【図２】
2019023684.tif 000004
【図３】
2019023684.tif 000005
【図４】
2019023684.tif 000006
【図５】
2019023684.tif 000007
【図６】
2019023684.tif 000008
【図７】
2019023684.tif 000009
【図８】
2019023684.tif 000010
【図９】
2019023684.tif 000011
【図１０】
2019023684.tif 000012
【図１１】
2019023684.tif 000013
【図１２】
2019023684.tif 000014
【図１３】
2019023684.tif 000015
【図１４】
2019023684.tif 000016
【図１５】
2019023684.tif 000017
【図１６】
2019023684.tif 000018
【図１７】
2019023684.tif 000019
【図１８】
2019023684.tif 000020
【図１９】
2019023684.tif 000021
【図２０】
2019023684.tif 000022
【図２１】
2019023684.tif 000023